(57)【特許請求の範囲】
【請求項１】
一方の端部にはハンドル部分（１１）があり、もう一方の端部にはネット部分（３０）を支持するフープ（２０）があるロッド胴体（１）を具備するハンドネット（１）であって、
前記フープ（２０）は、
各支持端部はピボット軸受部分（２１２）を有し、前記ロッド胴体（１０）と、一組の対向する支持端部（２１１）と、に接続されている接続端部（２１０）を有する３方向接続部材（２１）と、
前記ネット部分（３０）のロールリムチャネル（３１）を通り抜ける一組のフレキシブルロッド（２３）であって、各フレキシブルロッド（２３）の一端は、前記ピボット軸受部分（２１１）に枢動可能に取り付けられているボールジョイント（２２１）を有しており、各フレキシブルロッド（２３）は前記３方向接続部材（２１）に対して回転可能であるので、前記ロッド胴体（１０）に対して折り畳められ、各フレキシブルロッド（２３）は、前記フープ（２０）を形成するように、折り曲げられ、さらに互いに接続されている、一組のフレキシブルロッド（２３）と、
を含むハンドネット（１）。
【請求項２】
前記３方向接続部材２１は、
前記接続端部（２１０）に対して横方向に開口され、２つの前記支持端部（２１１）の外側にそれぞれ形成されている２つの受け入れ口部分（２１３）と、
２つの前記支持端部（２１１）の内面側にそれぞれ形成されている前記ピボット軸受部分（２１２）と、
を形成する中空Ｔ形部材として形成されている請求項１に記載のハンドネット（１）。
【請求項３】
前記受け入れ口部分（２１３）の各々は、前記ピボット軸受部分（２１２）の断面の幅よりも大きい幅のＵ形断面を有し、
スロット（２１４）が、前記ピボット軸受部分（２１２）および前記受け入れ口部分（２１３）に渡って延在し、さらに前記接続端部（２１０）の側面まで延在する請求項２に記載のハンドネット（１）。
【請求項４】
各フレキシブルロッド（２３）の前記断面は、長軸（Ｌ１）および短軸（Ｌ２）を有する楕円形であり、
前記長軸（Ｌ１）の方向は、前記ネット部分（３０）の分銅荷重の方向と一致し、前記短軸（Ｌ２）の方向は、前記フープ（２０）の折り曲げ方向に一致する請求項２に記載のハンドネット（１）。
【請求項５】
一組のスイングアーム（２２）は、前記３方向接続部材（２１）にある前記支持端部（２１１）と前記フレキシブルロッド（２３）との間にそれぞれ挿入されている請求項４に記載のハンドネット（１）。
【請求項６】
各スイングアーム（２２）の一方の端部は、各フレキシブルロッド（２３）の一方の端部を受け入れるための１つの穴（２２０１）を有する接続端部（２２０）であり、
各スイングアームのもう一方の端部は、前記３方向接続部材（２１）の前記ピボット軸受部分（２１２）に枢動可能に取り付けられている前記ボールジョイント（２２１）を形成する請求項５に記載のハンドネット（１）。
【請求項７】
前記フレキシブルロッド（２３）の各々は、前記スイングアーム（２２）の全長の少なくとも３分の１以上の深さまで前記接続端部（２２０）内に挿入される請求項４に記載のハンドネット（１）。
【請求項８】
前記受け入れ口部分（２１３）に一致し、直径が前記スロット（２１４）の幅よりもわずかに小さい直径を持つネック部分（２２２）は、各前記スイングアーム（２２）の前記ボールジョイント（２２１）に近接する位置に形成されている請求項６に記載のハンドネット（１）。
【請求項９】
各スロット（２１４）は、前記３方向接続部材（２１）の前記接続端部（２１０）の側壁に延在しており、
各々が前記ボールジョイント（２２１）の直径よりもわずかに大きい直径を持つ２つの丸穴（２１５）は、側壁上に形成されている請求項８に記載のハンドネット（１）。
【請求項１０】
前記受け入れ口部分（２１３）の断面の幅よりもわずかに小さい直径を持つ円形断面を有するセグメント（２２３）は、前記スイングアーム（２２）の前記ネック部分（２２２）に隣接して内部に形成されており、
各受け入れ口部分（２１３）のＵ形断面に対応して、長方形断面セグメント（２２４）は、円形断面を持つ前記セグメント（２２３）に隣接して内部に形成されている請求項８に記載のハンドネット（１）。
【請求項１１】
位置決めキー（２１３１）は、前記３方向接続部材（２１）にある各受け入れ口部分（２１３）の内壁上面に形成されており、
位置決めキースロット（２２５）は、円形断面を持つ各スイングアームの前記セグメント（２２３）に形成されており、前記位置決めグルーブ（２２５）は、前記フレキシブルロッド（２３）の前記短軸（Ｌ２）の方向に開口している請求項１０に記載のハンドネット（１）。
【請求項１２】
互いに接続するため、前記フレキシブルロッド（２３）のスイングアームに対向する端部に備えられている、第１の接続バー（２４ａ）および第２の接続バー（２４ｂ）から構成されている一組の接続バー（２４）をさらに具備する請求項１に記載のハンドネット（１）。
【請求項１３】
前記第１の接続バー（２４ａ）の一方の端部および前記第２の接続バー（２４ｂ）の一方の端部は、各々が前記フレキシブルロッド（２３）の端部を受け入れるための穴（２４０１）を有する接続端部（２４０）であり、同時に、前記第１の接続バー（２４ａ）および前記第２の接続バー（２４ｂ）のもう一方の端部には、それぞれ突出したピン（２４１）および穴（２４２）があり、前記突出したピン（２４１）は、取り外し可能なように前記穴（２４２）に取り付けられる請求項１２に記載のハンドネット（１）。
【請求項１４】
Ｔ形グルーブ（２４３）は、前記第１の接続バー（２４ａ）および前記第２の接続バー（２４）の各々の外表面に備えられている請求項１３に記載のハンドネット（１）。
【請求項１５】
広げられた状態にある前記フープ（２０）に面している開口部（２１６）は、前記３方向接続部材（２１）にある前記２つの支持端部（２１１）の間に形成されており、
ＬＥＤランプ（２１７）は、前記開口部（２１６）に備えられており、
前記ＬＥＤランプ（２１７）のオン・オフのためのスイッチ（１２）は、前記ロッド胴体（１０）の前記ハンドル部分（１１）に備えられている請求項２に記載のハンドネット（１）。
【請求項１６】
前記ロッド胴体（１０）の一方の端部には、ほぞ（１０１）が形成されており、前記３方向接続部材（２１）の前記接続端部（２１０）には、それに相当するものとしてほぞ穴（２１０ａ）があり、
前記ほぞ（１０１）が前記ほぞ穴（２１０ａ）から離れるのを防止するために、前記ほぞ（１０１）および前記ほぞ穴（２１０ａ）を通して挿入ピンが挿入される請求項１に記載のハンドネット（１）。
【請求項１７】
前記ロッド胴体（１０）は、少なくとも１つの伸縮セグメント（１０ａ）を有する請求項１６に記載のハンドネット（１）。
【発明の詳細な説明】
【技術分野】
【０００１】
本発明は、ハンドネット、特に、使用時にネット部分を速やかに広げることができ、さらに保管および運搬に便利であるように折り畳むことができるハンドネットに関連している。
【背景技術】
【０００２】
通常、ハンドネットには非常に大きな体積があり、釣りや標本採集のような目的の人々が持ち運ぶのには便利ではない。従来のハンドネットの欠点を改良するために、関連のある文献が提出されてきた。例えば、図１１および図１１ａに示されているような、“ハンドネットのフープフレームの改良”という題名の台湾実用新案特許第２８１０００号では、フレーム本体（３０’）を補強するために上部および下部のそれぞれに形成されているリブを有する四角形断面を持つフレーム本体（３０’）が開示されている。フレーム本体（３０’）は、３つのアークセグメント（３３’、３４’、３５’）によって形成されている。各々が合わせ面（３７’）を有する接続部分（３６’）は、互いに折り重なっている合わせ面（３７’）がリベット（Ｃ’）によって留められると同時に、１つの合わせ面（３７’）がもう１つの合わせ面（３７’）に折り重ねられるような形で、第１のアークセグメント（３３’）、第２のアークセグメント（３４’）および第３のアークセグメント（３５’）のうちのいずれか隣接する２つを接続するために備えられている。ボルト（３９’）が半径方向に外に向かって延在している接続部分（３８’）は、第１のアークセグメント（３３’）のもう一方の端部に備えられている。同様に、接続部（４１’）は第３のアークセグメント（３５’）のもう一方の端部に備えられており、通り穴を持つ受け入れ口部分（４２’）は接続部分（３８’）と適合するように接続部分（４１’）の外側に形成されている。ボルト（３９’）は、通り穴を通って挿入され、ロッド胴体（４５’）にねじで取り付けられる。このようにして、ネット部分（４４’）を支持するための、ハンドネットの折り畳み可能フープのフレーム（３０’）は形成される。
【０００３】
上記の開示は、ハンドネットの体積を減らす目的を達成することができる。しかしながら、当業者は、３つのアークセグメント（３３’、３４’、３５’）が円形から楕円形に再構成されでも、いまだに望ましいものではない体積を占めるということを理解するであろう。さらに、フープを折り畳むとき、フープはネット部分（４４’）から分けられなければならないので、ハンドネットを組み立てることが非常に困難となる。それゆえ、使用時に不便となる。
【先行技術文献】
【特許文献】
【０００４】
【特許文献１】台湾実用新案特許第２８１０００号
【発明の概要】
【０００５】
本発明の主な目的は、便利に運べるように体積を削減できるハンドネット装置を提供することである。
【０００６】
上記および他の目的を達成するために、本発明のハンドネットは、一方の端部にハンドル部分があり、もう一方の端部はフープを通してネット部分を支持するロッド胴体を有するハンドネットであり、フープは、
一方の端部がロッド胴体に接続され、他の２つの端部は一組の対向する支持端部を形成する３方向接続部材であって、各支持端部はピボット軸受部分を有する３方向接続部材と、
ネット部分のロールリムチャネル(a roll-rim channel)を通り抜ける一組のフレキシブルロッドであり、各フレキシブルロッドの一方の端部はピボット軸受部分に枢動可能に取り付けられているボールスタッドを有し、各フレキシブルロッドのもう一方の端部は、フープを形成するように、一組の接続バーを通して互いに取り外し可能なように接続されている一組のフレキシブルロッドと、
を含む。
【０００７】
本発明のハンドネットによると、折り畳まれた状態において、一組のフレキシブルロッドはロッド胴体に対して平行であり、容易な保管および運搬のためネット部分と共に小さな束に縮められる。使用時には、一組のフレキシブルロッドは柔軟に曲げられるので、フレキシブルロッドは、ネット部分を支持するフープを形成するように、速やかに互いに接続される。
【０００８】
本発明によると、フープは、低重量で頑丈なカーボン繊維で作られている、一組のフレキシブルロッドの断面は楕円形であり、その長軸の方向は、ネット部分の分銅荷重(the weight-loading)の方向と一致し、短軸の方向は、フープの折り曲げ方向に一致する。それゆえ、フレキシブルロッドは、短軸の方向に容易に折り曲げられることができ、さらに、ネット部分に捕獲された物体の重量に起因する長軸の方向にかかる荷重に対して優れた曲げ強さ(bending strength)を持つ。
【図面の簡単な説明】
【０００９】
【図１】本発明によるハンドネットの実施形態を示す斜視図であり、ネット部分は折り畳まれた状態である。
【図２】本発明によるハンドネットの実施形態を示す斜視図であり、ネット部分は広げられた状態である。
【図２ａ】図２の２ａ−２ａ線に沿って切断した断面の部分拡大図である。
【図２ｂ】図２の囲んだ部分を示す部分拡大図である。
【図３】２つのスイングアームが取り付けられている、３方向接続部材を示す斜視図である。
【図４】３方向接続部材の断面図である。
【図４ａ】３方向接続部材の側面図である。
【図４ｂ】３方向接続部材の底面図である。
【図４ｃ】３方向接続部材の上面図である。
【図５】スイングアームの上面図である。
【図５ａ】図５の５ａ−５ａ線に沿って切断した断面の部分拡大図である。
【図６】第１の接続バーおよび第２の接続バーの上面図である。
【図６ａ】図６の６ａ−６ａ方向から見た側面図である。
【図７】フレキシブルロッドがフープを形成する過程を示しており、ネット部分は説明を明確化するため省略されている。
【図８】広げられた状態におけるハンドネットを示す断面の部分拡大図である。
【図９】広げられた状態におけるハンドネットを示す側面図である。
【図１０】３方向接続部材とロッド胴体を接続する構成を示す。
【図１１】従来のハンドネットの折り畳み可能フープを示す。
【図１１ａ】台湾特許第２８４１０００号で開示されている従来のハンドセットを示す。
【発明を実施するための形態】
【００１０】
本発明の技術的内容は、添付図面とともに、好適な実施形態の詳細な記述によってより明確になるであろう。好適な実施形態は、単に例示するためであり、限定する目的ではないことに留意されたい。
【００１１】
まず、図１および２を参照すると、本発明によるハンドネット１はロッド胴体１０を有する。例えば、ロッド胴体１０は、少なくとも1本の伸縮ロッド(the extendable rod)１０ａを含むことができる。ロッド胴体１０の一方の端部には、ハンドル部分１１があり、ロッド胴体１０のもう一方の端部には、フープ２０を介してネット部分（メッシュのバスケット）３０がある。
【００１２】
ハンドネット１は、一方の端部２１０はロッド胴体１０に接続され、他の２つの端部は、各々がピボット軸受部分２１２を有する一組の対向支持端部２１１を形成する、３方向接続部材２１と、ネット部分３０のロールリムチャネル３１を通り抜ける一組のフレキシブルロッド２３と、をさらに有する。各フレキシブルロッド２３の一方の端部には、ピボット軸受部分２１１において枢動可能に取り付けられているボールジョイント２２１があるので、ロッド胴体１０に対して折り畳められる。フレキシブルロッド２３は、折り曲げ可能および取り外し可能なように、もう一方の端部において一組の接続バー２４によって接続されているので、一組のフレキシブルロッド２３はフープ２０として再構成される。
【００１３】
図３および図４ｃに示されているように、３方向接続部材２１は、例えばカーボン繊維で作られている、中空のＴ形部材である。３方向接続部材２１には、ロッド胴体１０に接続されている接続端部２１０と、一組の対向支持端部２１１を形成する他の２つの端部とがある。接続端部２１０に対して横方向に開口されている受け入れ口部分２１３は、支持端部２１１の外側にそれぞれ形成されており、ピボット軸受部分２１２は支持端部２１１の内側にそれぞれ形成されている。
【００１４】
本発明のハンドネットは、さらに、３方向接続部材２１の支持端部２１１とフレキシブルロッド２３との間にそれぞれ挿入されている一組のスイングアーム２２を含む。スイングアームは、例えばカーボン繊維で作られている。各スイングアーム２２の一方の端部は、各フレキシブルロッド２３の一方の端部を受け入れるための穴２２０１を有する接続端部２２０であり、各スイングアームのもう一方の端部は、３方向接続部材２１のピボット軸受部分２１２に枢動可能に取り付けられているボールジョイント２２１を形成する。各フレキシブルロッド２３は、例えばカーボン繊維で作られており、その断面は、図２に示されているように、長軸Ｌ１および短軸Ｌ２を持つ楕円である。長軸Ｌ１の方向は、ネット部分３０の分銅荷重の方向と一致し、短軸Ｌ２の方向は、フレキシブルロッド２３の折り曲げ方向に一致するので、各フレキシブルロッド２３は、容易にＬ２方向に折り曲がり、さらにＬ１方向にかかるさらなる重量に耐えることができる。他の形状の断面、例えば角胴形、Ｉ形、多角形、不規則な形状等、もフレキシブルロッドに適用される。
【００１５】
図４および図５を参照すると、本発明による３方向接続部材２１の各受け入れ口部分２１３はＵ形の断面を持ち、その幅は、ピボット軸受部分２１２の断面の幅よりも大きく、さらにスロット２１４は、ピボット軸受部分２１２および受け入れ口部分２１３に渡って延在し、図４ａに示されているように、接続端部２１０まで延在する。受け入れ口部分２１３に一致し、直径がスロット２１４の幅よりもわずかに小さい直径を持つネック部分２２２は、各スイングアーム２２のボールジョイント２２１に近接する位置に形成されているので、図８に示されているように、スイングアーム２２は枢動し、スロット２１４を通過できる。各スロット２１４は、３方向接続部材２１の接続端部２１０の側壁に延在しており、ボールジョイント２２１の直径よりもわずかに大きい直径を持つ丸穴２１５は、接続端部２１０の側壁上にあるスロット２１４の端部に形成されているので、ボールジョイント２２１は、丸穴２１５によってピボット軸受部分２１２に到達する(access)ことができる。
【００１６】
さらに、受け入れ口部分２１３の断面の幅よりもわずかに小さい直径を持つ円形断面を有するセグメント２２３は、スイングアーム２２のネック部分２２２に隣接して形成されている。各受け入れ口部分２１３のＵ形断面に対応して、長方形断面セグメント２２４は、図５ａに示されているように、円形断面を持つセグメント２２３に隣接して形成されている。各スイングアーム２２の断面は、フレキシブルロッド２３の断面と一致する楕円形へと徐々に形成され、長方形断面セグメント２２４から接続端部２２０に向かって徐々に先細になる。各フレキシブルロッド２３は、スイングアーム２２の全長の少なくとも３分の１以上の深さまで(by a depth at least larger than 1/3)接続端部２２０内に挿入されるので、接続端部２２０は、フレキシブルロッド２３が折り曲がると同時に折り曲がることができる。さらに、３方向接続部材２１にある各受け入れ口部分２１３の内壁上面に位置決めキー２１３１が形成されており、位置決めキースロット２２５および２５５’は、位置決めキースロット２２５および２５５’の開口方向が、フレキシブルロッド２３の断面の短軸Ｌ２の方向と一致するような形で、各スイングアーム２２の円形断面を持つセグメント２２３に形成されている。位置決めキー２１３１は、フレキシブルロッドがフープ２０として再構成されるときに、位置決めキースロット２２５および２５５’のうちの１つに挿入される。
【００１７】
図６および図６ａを参照すると、例えばカーボン繊維で作られている、第１の接続バー２４ａおよび第２の接続バー２４ｂを含む一組の接続バー２４が、互いに接続するため、フレキシブルロッド（２３）のスイングアームに対向する端部に備えられている。第１の接続バー２４ａの一方の端部および第２の接続バー２４ｂの一方の端部は、各々がフレキシブルロッド２３の一方の端部を受け入れるための穴２４０１を有する接続端部２４０である。第１の接続バー２４ａのもう一方の端部には、突出したピン２４１があり、第２の接続バー２４ｂには穴２４２がある。突出したピン２４１は、取り外し可能なように穴２４２に取り付けられている。突出したピン２４１および穴２４２は、第１接続バー２４ａと第２接続バー２４ｂとの間の接続が予期せず絶たれるのを回避するために、段をつけられている。Ｔ形グルーブ２４３は、図２ｂに示されているようにネット部分３０を保持するために、さらに図１に示されているようにネット部分３０が折り畳まれている状態にあるときにネット部分３０を適切な場所に維持するために、第１の接続バー２４ａおよび第２の接続バー２４ｂの各々の外表面に備えられている。
【００１８】
図４ｃに示されているように、広げられた状態にあるフープ２０に面している開口部２１６は、３方向接続部材２１にある２つの支持端部２１１の間に形成されている。ＬＥＤランプ２１７は、開口部２１６に備えられている。通常のワイヤまたは無線によるＬＥＤランプのオン・オフのためのバッテリー装置およびスイッチ１２は、夜間にフープ２０（すなわち、ネット部分３０の開口部）の方向に向かってライトが放射されるように、ロッド胴体１０のハンドル部分１１内側にある。
【００１９】
ネット部分３０を広げる過程は、図７ないし図９を参照して説明される。折り畳まれた状態において、一組のフレキシブルロッド２３は、ネット部分３０のロールリムチャネル３１内に挿入されており、ネット部分３０の一部は、Ｔ形グルーブ２４３によって保持されている。ハンドネットを広げるために、一組のフレキシブルロッド２３は向かい合って折り曲げられるので、図７の丸で囲まれた部分１に示されているように、第１の接続バー２４ａおよび第２の接続バー２４ｂは互いに接続される。その後、互いに接続している一組の接続バー２４は、３方向接続部材２１の方向へ押されるので、一組のフレキシブルロッド２３は、図７の丸で囲まれた部分２に示されているようなフープとして再構成される。最後に、フープ２０は、ロッド胴体１０に対して１８０度ひっくり返されるので、３方向接続部材２１にある受け入れ口部分２１３の内壁上面の位置決めキー２１３は、（図７の丸で囲まれた部分３に示されているように）スイングアーム２２の円形断面を持つセグメント２２３にある位置決めキースロット２２５内に挿入される。このようにして、図２に示されているように、ネット部分３０を速やかに広げることができる。ネット部分３０は、伸縮ロッド１０ａによってさらに延ばされることが可能である。ハンドネットが使用されないときは、ネット部分３０は、上述したステップの逆順序に従って、図に示されているような折り畳まれた状態で折り畳まれる。
【００２０】
本発明によると、３方向接続部材２１は、ねじによってロッド胴体１０に接続される。３方向接続部材２１をロッド胴体１０と接続する接続構造は、図１０に示されている。ロッド胴体１０の一方の端部には、ほぞ１０１が形成されており、同時に、３方向接続部材２１の接続端部２１０には、それに相当するものとしてほぞ穴２１０ａがある。ほぞ１０１がほぞ穴２１０ａから離れるのを防止するために、ほぞ１０１およびほぞ穴２１０ａを通して挿入ピンが挿入される。
【００２１】
上記を要約すると、本発明によるハンドネットのネット部分は、使用時に速やかに広げることができ、使用されないときは、保管および運搬に容易であるように折り畳むことができる。したがって、このハンドネットは、確実に、独創的で進歩性があり、さらに産業上の有用性を持つ発明である。
【００２２】
上記のとおり、好適な実施形態が示され、詳細が述べられてきたが、好適な実施形態は、本発明の実施の範囲を限定するものではないことを留意されたい。添付の請求項の精神および適用範囲を逸脱しない形で、修正および変更がなされる。
【図１】
0004763814.tif 000002
【図２】
0004763814.tif 000003
【図２ａ】
0004763814.tif 000004
【図２ｂ】
0004763814.tif 000005
【図３】
0004763814.tif 000006
【図４】
0004763814.tif 000007
【図４ａ】
0004763814.tif 000008
【図４ｂ】
0004763814.tif 000009
【図４ｃ】
0004763814.tif 000010
【図５】
0004763814.tif 000011
【図５ａ】
0004763814.tif 000012
【図６】
0004763814.tif 000013
【図６ａ】
0004763814.tif 000014
【図７】
0004763814.tif 000015
【図８】
0004763814.tif 000016
【図９】
0004763814.tif 000017
【図１０】
0004763814.tif 000018
【図１１】
0004763814.tif 000019
【図１１ａ】
0004763814.tif 000020